(57)【要約】【課題】  モータの回転を制御するスイッチとユーザーが実際に操作を行う操作釦が離れた位置にあっても、簡素な構造によって前記モータの近くに前記スイッチを配置したまま操作を可能とする振動発生装置を提供する。【解決手段】  ホルダ４は、ケーストップ２によって囲繞されるケーストップ領域４ｅとケースボトム３によって囲繞されるケースボトム領域４ｆを有する。前記ケーストップ領域４ｅにモータ５やスイッチ６ａを配設する基板６等の電子部品を取付ける。前記ケースボトム３には押圧片８ｃが形成された操作釦８を弾性部材９を介して取付ける。前記操作釦８の押圧操作によって前記押圧片８ｃが前記スイッチ６ａを押圧する。【選択図】図１
2013013284.tif 000002
【特許請求の範囲】
【請求項１】
ケーストップおよびケースボトムと、前記ケーストップおよび前記ケースボトムの収納空間に収納されるホルダと、前記ホルダに少なくともモータとスイッチを取付け構成する振動発生装置であって、前記ホルダは前記ケーストップによって囲繞されるケーストップ領域と前記ケースボトムによって囲繞されるケースボトム領域を有し、前記ケーストップ領域に少なくともモータとスイッチを取付け、前記ケースボトムには操作釦を設け、前記操作釦の操作を前記スイッチによって検知する構造を特徴とする振動発生装置。
【請求項２】
前記操作釦と一体に押圧片を形成し、前記操作釦の押圧操作と連動する前記押圧片の移動を前記スイッチによって検知する構造を特徴とする請求項１に記載の振動発生装置。
【請求項３】
前記ケースボトムの内面側には、前記操作釦の押圧操作と連動する押圧片の移動方向を規制するガイドリブを形成したことを特徴とする請求項２に記載の振動発生装置。
【請求項４】
前記ケースボトムの収納空間の開口よりリブを延出して設け、前記リブには周縁方向に係止孔と、前記リブの内面側であって前記係止孔と連設するガイド溝を形成し、前記ホルダには、前記ケースボトムを回転することで前記ガイド溝を伝って前記係止孔に係止する突起部を形成したことを特徴とする請求項２又は請求項３の何れか１項に記載の振動発生装置。
【請求項５】
前記操作釦は、前記操作釦への押圧力に抗して付勢力を発生し、且つ、ケースボトムの収納空間への浸水を防止するための弾性部材を介して前記ケースボトムに対し保持されることを特徴とする請求項１乃至請求項４の何れか１項に記載の振動発生装置。
【発明の詳細な説明】
【技術分野】
【０００１】
本発明はモータを駆動源として振動を発生させる振動発生装置の構造に関する。
【背景技術】
【０００２】
従来より、モータを駆動源として振動を発生させる振動発生装置として、次の公報が公知の技術として開示されている。
【０００３】
【特許文献１】特開２００３−１８９９３７号公報
【特許文献２】特開平９−１７３１５１号公報
【発明の開示】
【発明が解決しようとする課題】
【０００４】
上記公報は何れもホルダに振動を発生させるための電子部品を取付ける構造としている。すなわち、振動を発生させるモータと、前記モータの回転を制御するスイッチを前記ホルダに集約して取付ける構造としている。この場合、前記スイッチと前記モータを近づけて配置することにより、接続する部材、例えば線材を最小限の長さにすることができる。そして、前記スイッチが、実際にユーザーが押圧等の操作を行う操作釦の操作を検知することで前記モータの回転および停止を可能としている。そのため、前記操作釦は、振動発生装置の筐体となるケースにおいて前記スイッチの近傍に設けられることが多い。
【０００５】
ところで、振動発生装置によっては、前記モータと前記スイッチを離れた位置に取付けることが考えられる。例えば、ケースの端部に操作釦を設けた場合である。この場合、ケースの端部に設けられた操作釦の近傍にスイッチを配置することで、モータから離れた位置に前記スイッチが取付けられる。すると、前記モータと前記スイッチを接続する線材を長くする必要があるためにコストアップに繋がるばかりか、ケースの内部に収納するホルダに前記線材を保持する保持部を設けることで前記ホルダの構造が複雑となる。また、前記ホルダに対する線材の結線処理が必要になることで、振動発生装置の組み立て作業にも影響を与えることが懸念される。
【０００６】
さらに、前記モータに電力を供給する手段として電池を使用する場合、前記電池をホルダに取付ける構成とし、前記電池の交換が行えるようケースの一部を着脱可能とするのが一般的である。そして、ケースの端部に操作釦を設け、前記操作釦の近傍にスイッチを配置するならば、電池を交換するときに前記スイッチおよび前記スイッチと前記モータを接続する線材が露出する。そのため、ユーザーが前記スイッチや前記線材に誤って触れてしまい、振動発生装置の故障や破壊の要因となる危険性が高くなる。
【０００７】
本発明は上述した点に鑑みてなされたものであって、その目的とするところは、モータの回転を制御するスイッチとユーザーが実際に操作を行う操作釦が離れた位置にあっても、簡素な構造によって前記モータの近くに前記スイッチを配置したまま前記操作釦の操作を検知可能とする振動発生装置を提供することにある。
【０００８】
また、本発明の他の目的としては、モータに電力を供給する手段として電池を使用する場合において、前記電池の交換時にモータやスイッチ等の電子部品が露出しない振動発生装置を提供することにある。
【課題を解決するための手段】
【０００９】
請求項１に係る振動発生装置は、ケーストップおよびケースボトムと、前記ケーストップおよび前記ケースボトムの収納空間に収納されるホルダと、前記ホルダに少なくともモータとスイッチを取付け構成する振動発生装置であって、前記ホルダは前記ケーストップによって囲繞されるケーストップ領域と前記ケースボトムによって囲繞されるケースボトム領域を有し、前記ケーストップ領域に少なくともモータとスイッチを取付け、前記ケースボトムには操作釦を設け、前記操作釦の操作を前記スイッチによって検知する構造を特徴としている。
【００１０】
請求項２に係る振動発生装置は、請求項１に記載の振動発生装置であって、前記操作釦と一体に押圧片を形成し、前記操作釦の押圧操作と連動する前記押圧片の移動を前記スイッチによって検知する構造を特徴としている。
【００１１】
請求項３に係る振動発生装置は、請求項２に記載の振動発生装置であって、前記ケースボトムの内面側には、前記操作釦の押圧操作と連動する押圧片の移動方向を規制するガイドリブを形成したことを特徴としている。
【００１２】
請求項４に係る振動発生装置は、請求項２又は請求項３の何れか１項に記載の振動発生装置であって、前記ケースボトムの収納空間の開口よりリブを延出して設け、前記リブには周縁方向に係止孔と、前記リブの内面側であって前記係止孔と連設するガイド溝を形成し、前記ホルダには、前記ケースボトムを回転することで前記ガイド溝を伝って前記係止孔に係止する突起部を形成したことを特徴としている。
【００１３】
請求項５に係る振動発生装置は、請求項１乃至請求項４の何れか１項に記載の振動発生装置であって、前記操作釦は、前記操作釦への押圧力に抗して付勢力を発生し、且つ、ケースボトムの収納空間への浸水を防止するための弾性部材を介して前記ケースボトムに対し保持されることを特徴としている。
【発明の効果】
【００１４】
以上のような本発明の構造によれば、モータやスイッチをケーストップによって囲繞されるホルダのケーストップ領域に取付け、ケースボトムに取り付ける操作釦に形成された押圧片によって前記スイッチを押圧する構造としている。その結果、モータの近傍にスイッチを配置することができるため、前記モータと前記スイッチを接続するために必要となる部材を最小限とし、振動発生装置を簡素な構造で実現でき、その組み立て作業も容易となる。なお、本発明におけるモータとスイッチを接続するための部材として、例えば線材を使用する場合、前記モータの近傍に前記スイッチを配置できることで前記線材を必要以上に長くする必要がなくなる。
【００１５】
また、モータやスイッチをホルダのケーストップ領域に取付け、前記ホルダのケースボトム領域に電池を取付ける構成とすることで、電池を交換する際にケーストップの収納空間に囲繞されたモータやスイッチが外部に露出しないため、ユーザーが電子部品に触れることによる振動発生装置の故障や破壊の要因を軽減することが可能となる。
【図面の簡単な説明】
【００１６】
【図１】本発明の実施例における振動発生装置の分解斜視図。
【図２】本発明の実施例におけるケーストップ、ケースボトム、およびホルダを示す平面側部分断面図。
【図３】本発明の実施例におけるケーストップ単体の部分断面斜視図。
【図４】本発明の実施例におけるケーストップとホルダを示す図であって、ホルダの係止片がケーストップの係止溝に係止する前の状態を示す平面側断面図。
【図５】本発明の実施例におけるケーストップとホルダを示す図であって、ホルダの係止片がケーストップの係止溝に係止した後の状態を示す平面側断面図。
【図６】本発明の実施例におけるケースボトム単体を示す斜視図。
【図７】本発明の実施例におけるケースボトムとホルダを示す図であって、ホルダの係合突起がケースボトムの係合孔に係合する前の状態を示す平面側断面図。
【図８】図７のＡ−Ａ断面図。
【図９】本発明の実施例におけるケースボトムとホルダを示す図であって、ホルダの係合突起がケースボトムの係止孔に係合した後の状態を示す平面側断面図。
【図１０】図９のＢ−Ｂ断面図。
【図１１】本発明の実施例におけるホルダ単体を示す図であって、図１１（ａ）はホルダ単体の平面図、図１１（ｂ）は同側面図。
【図１２】本発明の実施例におけるホルダと操作釦を示す側面図。
【図１３】本発明の実施例におけるケースボトムを示しており、開口を正面側として視た図。
【図１４】本発明の実施例におけるホルダの電池取付部近傍を示す図であり、図１４（ａ）は電池取付部の底面側平面図、図１４（ｂ）は電池取付部の端面側を示す図。
【図１５】本発明の実施例における歯ブラシ体とケーストップを示す斜視図。
【発明を実施するための形態】
【００１７】
以下、本発明を実施するための最良の形態としての実施例を図１〜図１５を用いて以下に説明する。なお、本発明はその主旨に反しない範囲で、実施例において説明した構成以外のものに対しても容易に適用可能である。
【００１８】
図１は本発明の実施例における振動発生装置の分解斜視図である。また、図２は本発明の実施例におけるケーストップ、ケースボトム、およびホルダを示す平面側部分断面図である。図１および図２で示すように、ケーストップ２の内側には第１収納空間２ａが形成されている。また、ケースボトム３の内側には第２収納空間３ａが形成されている。そして、前記第１収納空間２ａと前記第２収納空間３ａの中にホルダ４が納まる構造としている。
【００１９】
図３は本発明の実施例におけるケーストップ単体の部分断面斜視図である。また、図４は本発明の実施例におけるケーストップとホルダを示す図であって、ホルダの係止片がケーストップの係止溝に係止する前の状態を示す平面側断面図である。また、図５は本発明の実施例におけるケーストップとホルダを示す図であって、ホルダの係止片がケーストップの係止溝に係止した後の状態を示す平面側断面図である。本発明の実施構造について、図３〜図５を用いてさらに詳述する。ケーストップ２の第１収納空間２ａの内面には、ガイドレール２ｂ，２ｂと係止溝２ｃ，２ｃが形成されている。また、ホルダ４には、前記ガイドレール２ｂ，２ｂに沿って移動する突起片４ａ，４ａが形成されている。加えて、前記ホルダ４には、前記前記ケーストップ２の係止溝２ｃ，２ｃに係止する可撓部４ｂ，４ｂを有する係止片４ｃ，４ｃが形成されている。そして、ホルダ４をケーストップ２の第１収納空間２ａに挿入するならば、突起片４ａ，４ａはガイドレール２ｂ，２ｂに沿って移動し、前記ホルダ４の収納が完了する位置において係止片４ｃ，４ｃは可撓片４ｂ，４ｂの弾性力によって係止溝２ｃ，２ｃに係止する。なお、ホルダ４に係止したケーストップ２は、可撓片４ｂ，４ｂの弾性力によって係止溝２ｃ，２ｃに係止する係止片４ｃ，４ｃによって容易に外れることはない。
【００２０】
図６は本発明の実施例におけるケースボトム単体を示す斜視図である。また、図７は本発明の実施例におけるケースボトムとホルダを示す図であって、ホルダの係合突起がケースボトムの係合孔に係合する前の状態を示す平面側断面図である。また、図８は図７のＡ−Ａ断面図である。また、図９は本発明の実施例におけるケースボトムとホルダを示す図であって、ホルダの係合突起がケースボトムの係止孔に係合した後の状態を示す平面側断面図である。また、図１０は図９のＢ−Ｂ断面図である。図６〜図１０で示すように、ケースボトム３の第２収納空間３ａの開口には、リブ３ｂが延出形成されている。そして、前記リブ３ｂの周縁方向には係合孔３ｃ，３ｃとガイド溝３ｄ，３ｄが形成されている。なお、本発明の実施例におけるガイド溝３ｄ，３ｄは、前記リブ３ｂを肉薄として形成し、前記係合孔３ｃ，３ｃと連設している。
【００２１】
一方で、ホルダ４には、前記係合孔３ｄ，３ｄに係合する係合突起４ｄ，４ｄが形成されている。そして、前記ホルダ４をケースボトム３の第２収納空間３ａに挿入して、前記ホルダ４の挿入が完了する位置において前記ケースボトム３を図８で示す矢印ａの方向へ回転するならば、前記係合突起４ｄ，４ｄはガイド溝３ｄ，３ｄに沿って移動し、係合孔３ｃ，３ｃに係合する。なお、図１０で示すように、ホルダ４に係合したケースボトム３は、矢印ｂの方向に回転することで前記係合孔３ｃ，３ｃと前記係合突起４ｄ，４ｄの係合状態を容易に解除できる。
【００２２】
図１１は本発明の実施例におけるホルダ単体を示す図であって、図１１（ａ）はホルダ単体の平面図、図１１（ｂ）は同側面図である。同図で示すように、ホルダ４はケーストップ２によって囲繞されるケーストップ領域４ｅと、ケースボトム３によって囲繞されるケースボトム領域４ｆを有する。
【００２３】
そして、ケーストップ領域４ｅには、少なくとも、モータ取付部４ｇと、基板取付部４ｈが形成されている。なお、前記モータ取付部４ｇには、回転軸に偏心部材を取着したモータ５が取付けられる。また、前記基板取付部４ｈには、前記モータ５の回転を制御するスイッチ６ａを配設した基板６が取付けられる。すなわち、本発明の実施構造は、少なくとも、前記ホルダ４のケーストップ領域４ｅに振動を発生させるために必要な電子部品を集約している。そして、前記ケーストップ２の第１収納空間２ａに前記ホルダ４のケーストップ領域４ｅを挿入した後は、前記ホルダ４から前記ケーストップ２が容易に外れない構造としている。
【００２４】
具体的には、前記ケーストップ２に形成される第１収納空間２ａの奥側において、前記ホルダ４に形成された係止片４ｃ，４ｃが、可撓部４ｂ，４ｂの弾性力によって前記ケーストップ２の第１収納空間２ａに形成された係止溝２ｃ，２ｃに係止する構造となっている。なお、前述の「奥側」とは、ケーストップ２の第１収納空間２ａにホルダ４を挿入する側から視たときの位置を示す。その結果、例えば、ユーザーが誤ってケーストップ２からホルダ４を外してケーストップ領域４ｅに取付けられた電子部品に接触するなどの危険行為を防止できる。
【００２５】
また、本発明の実施例では、前記ホルダ４のケースボトム領域４ｆにおいて前記モータ５に電力を供給するための電池を取付ける電池取付部４ｉが形成されている。そして、前記ケースボトム領域４ｆを囲繞するよう取付けるケースボトム３は、前記ホルダ４に対して回転することによって係合／解除が容易に行える構造としている。
【００２６】
具体的に詳述すると、先ず、ケーストップ２が取付けられたホルダ４のケースボトム領域４ｆが前記ケースボトム３の第２収納空間３ａに納まるよう、前記ケースボトム３を前記ケーストップ２側へ移動させる。そして、前記ホルダ４の前記ケースボトム領域４ｆが前記ケースボトム３の第２収納空間３ａに納まる位置において前記ケースボトム３を回転する。ホルダ４に取付けられたケーストップ２に対し前記ケースボトム３を回転するならば、前記ホルダ４に形成された係合突起４ｄ，４ｄは前記ケースボトム３に形成されたガイド溝３ｄ，３ｄに沿って移動し、前記係合突起４ｄ，４ｄが係合孔３ｃ，３ｃに係合して前記ホルダ４に対し前記ケースボトム３を取付けることができる。なお、前記ホルダ４に前記ケースボトム３が取付けられた状態から、前記ケースボトム３を前述とは逆の方向に回転するならば、前記係合孔３ｃ，３ｃから前記係合突起４ｄ，４ｄが外れて、前記ホルダ４から前記ケースボトム３を容易に取外すことができる。その結果、モータ５を回転させるための電池の交換作業が容易となる。
【００２７】
なお、本発明の実施例では、電力の寿命に応じて交換が必要となる電池を使用した振動発生装置について説明している。しかし、本発明は前述の構造に限定するものではなく、例えば、充電することで電力を維持できるバッテリを内蔵した振動発生装置も含まれる。充電可能なバッテリを内蔵した振動発生装置であれば、本発明の実施例で示すようにケースボトム３を取外して電池を交換する必要がない。そのため、ホルダ４に取付ける電子部品も含めその配置構成を変更することができる。以上、本発明の要旨の範囲内で種々の変形実施が可能であることを言及する。
【００２８】
つぎに、操作釦の操作をスイッチによって検知する構造について説明する。図１２は本発明の実施例におけるホルダと操作釦を示す側面図である。同図で示すように、ホルダ４のケーストップ領域４ｅにはスイッチ６ａが配設された基板６が取付けられている。そして、ケースボトム３の開口とは反対側の端部には、ユーザーが実際に操作を行う操作釦８が弾性部材９を介して取付けられている。本発明の実施例では、前記ケースボトム３の端部から露出する操作釦８が押圧操作されたことをスイッチ６ａによって検知し、モータ５を回転させて振動を発生させる構造としている。なお、前記弾性部材９は、主にケースボトム３の第２収納空間３ａに水や異物の浸入を防止する役割と、押圧操作された操作釦８をその弾性力を利用して前記操作釦が押圧される前の状態へ復帰させる役割を担う。また、本発明の実施例で示す振動発生装置は、前記弾性部材９を取着した操作釦８をケースボトム３に取付ける際、前記ケースボトム３の開口側からでも、或いは、前記ケースボトム３の端部側からでも取付けられる構造としている。
【００２９】
なお、前記操作釦８には、前記弾性部材９を取付けるための段差部８ｂが形成されている。さらに、前記操作釦８には、前記弾性部材９の弾性力に抗して前記操作釦８を押圧操作したときにスイッチ６ａを直接押圧する押圧片８ｃが形成されている。そして、前記ケースボトム３の開口近傍であって、第２収納空間３ａの内面には、前記操作釦８の押圧操作によって移動する押圧片８ｃをスイッチ６ａに誘導するためのガイドリブ３ｅ，３ｅが形成されている（図６参照）。
【００３０】
前述の構造により、前記操作釦８の押圧操作によって前記ガイドリブ３ｅ，３ｅに沿って移動する押圧片８ｃは、基板６に配設されたスイッチ６ａを確実に押圧できる。そして、前記押圧片８ｃの移動を前記スイッチ６ａによって検知し、モータ５の回転を制御する構造としている。なお、押圧された操作釦８は、負荷がなくなった時点で弾性部材９の復帰力により前記スイッチ６ａから離間した押圧前の位置へ移動する。
【００３１】
また、電池を交換する際、ケーストップ２に取付けられたホルダ４にユーザーが操作釦８を押圧した状態のケーストップ３を取付けることが考えられる。この場合、押圧片８ｃがスイッチ６ａを破損させることが想定されるため、前記スイッチ６ａの破損を防止する壁部（図示なし）を前記ホルダ４に形成するのが好ましい。前記壁部を形成することで、ケースボトム３を取付ける際に前記押圧片８ａが前記スイッチ６ａから離間した前記操作釦８の押圧前の位置に止めた状態で前記ホルダ４に取付けることが可能となる。なお、前記壁部の形状については特に限定せず、前記ホルダ４に対して前記ケースボトム３の着脱に支障がない形状を適宜選定すれば良い。
【００３２】
以上、本発明の実施例では、ケースボトムの端部に操作釦８を設けた振動発生装置について説明している。しかし、本発明は前述の構造に限定するものではなく、例えば、前記ケースボトム３の周縁部分に前記操作釦８に代わるスイッチ６ａを押圧するための部品を設けても良い。また、本発明の実施例では、押圧片８により押圧することを検知するスイッチ６ａを用いた振動発生装置について説明している。しかし、本発明は前述の構造に限定するものではなく、例えば、非接触型のスイッチや、接触型のスイッチであっても他の切換方式によるスイッチを用いても良い。すなわち、本発明は、モータの回転を制御するスイッチから離れた位置にユーザーが実際に操作を行う操作釦を設けた振動発生装置に関するものである。そのため、本発明の実施例に限定することなく、電子部品も含めその配置構成を変更することができる。以上、本発明の要旨の範囲内で種々の変形実施が可能であることを言及する。
【００３３】
ところで、本発明の実施例で示す構造によれば、ホルダ４のケーストップ領域４ｅに取付けられた基板６のスイッチ６ａと、ケースボトム３の端部に取付けられた操作釦８の押圧片８ｃの位置関係が重要となる。すなわち、電池の交換を行うために取付け／解除が容易なケースボトム３に設けられる押圧片８ｃによって、ホルダ４のケーストップ領域４ｅに取付けられた基板６のスイッチ６ａを確実に押圧できるようにするため、前記ホルダ４のケースボトム領域４ｆに対する前記ケースボトム３の取付ける際の位置関係を一定とする必要がある。
【００３４】
つぎに、ホルダ４に対するケースボトム３の取付ける際の位置関係を一定とするための構造について説明する。図１３は本発明の実施例におけるケースボトムを示しており、開口を正面側として視た図である。同図で示すように、ケースボトム３の開口近傍であって、第２収納空間３ａの内面には、前述のガイドリブ３ｅ，３ｅと平行に位置規制リブ３ｆが形成されている。
【００３５】
図１４は本発明の実施例におけるホルダの電池取付部近傍を示す図であり、図１４（ａ）は電池取付部の底面側平面図、図１４（ｂ）は電池取付部の端面側を示す図である。同図で示すように、ホルダ４のケースボトム領域４ｆには、前記ケースボトム３に形成される位置規制リブ３ｆの当接を可能とする当接突起４ｊが形成されている。また、前記ケースボトム領域４ｆには、ホルダ４にケースボトム３を取付ける際にガイドリブ３ｅ，３ｅおよび押圧片８ｃが当接しないよう退避面４ｋが形成されている。本発明の実施例において、その構造をより具体的に詳述するならば、前記当接突起４ｊおよび前記退避面４ｋは、電池取付部４ｉの底面側に形成されている。
【００３６】
なお、前記当接突起４ｊは電池取付部４ｉの端部から一定の長さまで延出形成されており、前記電池取付部４ｉの全長に亘って形成されているものではない。本発明の実施例では、ホルダ４にケースボトム３を取付けるときに、前記ホルダ４の前記ケースボトム領域４ｆが前記ケースボトム３の第２収納空間３ａに納まる位置において前記ケースボトム３を回転させる。そのため、前記ケースボトム３を回転する際には前記位置規制リブ３ｆが前記当接突起４ｊに当接しない長さに形成されている。なお、ホルダ４に形成される電池取付部４ｉの端部は、前記当接突起４ｊおよび前記退避面４ｋを設けたことによって円形状から一部欠けた形を成している。
【００３７】
前述の構造により、異形状の電池取付部４ｉの端部よりケースボトム３を取付けるときに、前記ケースボトム３に形成された位置規制リブ３ｆとホルダ４に形成された当接突起４ｊ、および、前記ケースボトム３に形成されたガイドリブ３ｅと前記ホルダ４に形成された退避面４ｋによってその位置が規制される。そして、ホルダ４に取付けられたケースボトムは、スイッチ６ａを押圧片８ｃによって押圧可能な位置で確実に取付けることができる。
【００３８】
より具体的に詳述するならば、ホルダ４のケースボトム領域４ｆをケースボトム３の第２収納空間３ａに挿入するときには、前記ケースボトム３に形成された位置規制リブ３ｆとホルダ４に形成された当接突起４ｊによって前記ケースボトム３の一方向の回転が規制される。また、前記ケースボトム３に形成されたガイドリブ３ｅと前記ホルダ４に形成された退避面４ｋによって前記ケースボトムの他方向の回転が規制される。そして、前記ホルダ４の前記ケースボトム領域４ｆが前記ケースボトム３の第２収納空間３ａに納まる位置においては、前記位置規制リブ３ｆと前記当接突起４ｊが互いに当接しない長さで形成されているため、前記ケースボトム３を回転させて取付けることができる。
【００３９】
以上、本発明の実施例では、ホルダ４に対するケースボトム３の取付ける際の位置関係を一定とする手段として、位置規制リブ３ｆと当接突起４ｊ、およびガイドリブ３ｅと退避面４ｋによる回転方向の規制を設けた振動発生装置について説明している。しかし、本発明は前述の構造に限定するものではなく、例えば、位置規制リブ３ｆを複数形成したり、当接突起４ｊの代わりにガイドリブ３ｅが摺動可能な溝を設ける構造としても良い。すなわち、本発明は、モータの回転を制御するスイッチから離れた位置にユーザーが実際に操作を行う操作釦を設けた振動発生装置に関するものである。そのため、前記スイッチと前記操作釦の位置関係を一定にする手段として本発明の実施例に限定することなく、本発明の要旨の範囲内で種々の変形実施が可能であることを言及する。
【００４０】
つぎに、本発明の実施例で示す振動発生装置の利用方法について説明する。図１５は歯ブラシ体とケーストップを示す斜視図である。同図で示すように、ケーストップ２の端部には着脱部２ｄが設けられている。そして、前記着脱部２ｄに対して歯ブラシ体１１を着脱可能とした構造としている。ところで、本発明の実施例では、前記歯ブラシ体１１の柄が透明な樹脂によって形成されている。そして、ケーストップ２の第１収納空間２ａに収納された基板６にはＬＥＤ（発光ダイオード）６ｂが配設されている。すなわち、本発明の実施例では、操作釦８の押圧操作によってモータ５の回転制御とＬＥＤ６ｂの発光制御を行っている。
【００４１】
ここで、ＬＥＤ６ｂ近傍の構造について詳述する。基板６にはスイッチ６ａとともにＬＥＤ６ｂが配設されている。そして、ケーストップ２の着脱部２ｄ側には、前記ＬＥＤ６ｂの光を歯ブラシ体１１へ誘導するレンズ（図示なし）が取付けられている。
【００４２】
なお、本発明の実施例では、操作釦８を押圧操作する回数によってモータ５の回転およびＬＥＤ６ｂの発光を制御している。具体的に説明すれば、１回目の操作釦８の押圧操作をスイッチ６ａによって検知するならば、ＬＥＤ６ｂが発光する。すなわち、振動発生装置１に取着した歯ブラシ体１１は発光した状態となる。続けて、２回目の操作釦８の押圧操作をスイッチ６ａによって検知するならば、ＬＥＤ６ｂが発光したままモータ５が回転する。すなわち、振動発生装置１に取着した歯ブラシ体１１は発光したまま、振動を発生させる状態となる。さらに続けて、３回目の操作釦８の押圧操作をスイッチ６ａによって検知するならば、ＬＥＤ６ｂの発光およびモータ５の回転が停止する。すなわち、振動発生装置１に取着した歯ブラシ体１１の発光および振動が停止した状態となる。
【００４３】
以上、本発明の実施例では、歯ブラシ体１１を取着した振動発生装置１について説明した。しかし、本発明は前述の構造に限定するものではなく、例えば、歯ブラシの他に、耳や爪の掃除器具、或いは顔や肩等のマッサージ器具を取着する構造であっても良い。すなわち、本発明は、主にモータの回転を振動に変換する振動発生装置を利用したものであれば、本発明の主旨の範囲内で適用可能であることを言及する。また、本発明は、前述の振動発生装置に発光機能を付加した構造についても含む。
【符号の説明】
【００４４】
１．  振動発生装置
２．  ケーストップ
２ａ．第１収納空間
２ｂ．ガイドレール
２ｃ．係止溝
２ｄ．着脱部
３．  ケースボトム
３ａ．第２収納空間
３ｂ．リブ
３ｃ．ガイド溝
３ｄ．係合孔
３ｅ．ガイドリブ
３ｆ．位置規制リブ
４．  ホルダ
４ａ．突起片
４ｂ．可撓部
４ｃ．係止片
４ｄ．係合突起
４ｅ．ケーストップ領域
４ｆ．ケースボトム領域
４ｇ．モータ取付部
４ｈ．基板取付部
４ｉ．電池取付部
４ｊ．当接突起
４ｋ．退避面
５．  モータ
６．  基板
６ａ．スイッチ
６ｂ．ＬＥＤ
８．  操作釦
８ｂ．段差部
８ｃ．押圧片
９．  弾性部材
１１．  歯ブラシ体
【図１】
2013013284.tif 000003
【図２】
2013013284.tif 000004
【図３】
2013013284.tif 000005
【図４】
2013013284.tif 000006
【図５】
2013013284.tif 000007
【図６】
2013013284.tif 000008
【図７】
2013013284.tif 000009
【図８】
2013013284.tif 000010
【図９】
2013013284.tif 000011
【図１０】
2013013284.tif 000012
【図１１】
2013013284.tif 000013
【図１２】
2013013284.tif 000014
【図１３】
2013013284.tif 000015
【図１４】
2013013284.tif 000016
【図１５】
2013013284.tif 000017
【手続補正書】
【提出日】平成24年4月19日(2012.4.19)
【手続補正１】
【補正対象書類名】特許請求の範囲
【補正対象項目名】全文
【補正方法】変更
【補正の内容】
【特許請求の範囲】
【請求項１】
ケーストップおよびケースボトムと、前記ケーストップおよび前記ケースボトムの収納空間に収納されるホルダと、前記ホルダに少なくともモータとスイッチを取付け構成する振動発生装置であって、前記ホルダは前記ケーストップによって囲繞されるケーストップ領域と前記ケースボトムによって囲繞されるケースボトム領域を有し、前記ケーストップ領域に少なくともモータとスイッチを取付け、前記ケースボトムには操作釦を設け、前記操作釦と一体に押圧片を形成し、前記操作釦の操作と連動する前記押圧片の移動を前記スイッチによって検知する構造を特徴とする振動発生装置。
【請求項２】
前記ケースボトムの内面側には、前記操作釦の押圧操作と連動する押圧片の移動方向を規制するガイドリブを形成したことを特徴とする請求項１に記載の振動発生装置。
【請求項３】
前記ケースボトムの収納空間の開口よりリブを延出して設け、前記リブには周縁方向に係止孔と、前記リブの内面側であって前記係止孔と連設するガイド溝を形成し、前記ホルダには、前記ケースボトムを回転することで前記ガイド溝を伝って前記係止孔に係止する突起部を形成したことを特徴とする請求項１又は請求項２の何れか１項に記載の振動発生装置。
【請求項４】
前記操作釦は、前記操作釦への押圧力に抗して付勢力を発生し、且つ、ケースボトムの収納空間への浸水を防止するための弾性部材を介して前記ケースボトムに対し保持されることを特徴とする請求項１乃至請求項３の何れか１項に記載の振動発生装置。
【手続補正２】
【補正対象書類名】明細書
【補正対象項目名】全文
【補正方法】変更
【補正の内容】
【発明の詳細な説明】
【技術分野】
【０００１】
本発明はモータを駆動源として振動を発生させる振動発生装置の構造に関する。
【背景技術】
【０００２】
従来より、モータを駆動源として振動を発生させる振動発生装置として、次の公報が公知の技術として開示されている。
【０００３】
【特許文献１】特開２００３−１８９９３７号公報
【特許文献２】特開平９−１７３１５１号公報
【発明の開示】
【発明が解決しようとする課題】
【０００４】
上記公報は何れもホルダに振動を発生させるための電子部品を取付ける構造としている。すなわち、振動を発生させるモータと、前記モータの回転を制御するスイッチを前記ホルダに集約して取付ける構造としている。この場合、前記スイッチと前記モータを近づけて配置することにより、接続する部材、例えば線材を最小限の長さにすることができる。そして、前記スイッチが、実際にユーザーが押圧等の操作を行う操作釦の操作を検知することで前記モータの回転および停止を可能としている。そのため、前記操作釦は、振動発生装置の筐体となるケースにおいて前記スイッチの近傍に設けられることが多い。
【０００５】
ところで、振動発生装置によっては、前記モータと前記スイッチを離れた位置に取付けることが考えられる。例えば、ケースの端部に操作釦を設けた場合である。この場合、ケースの端部に設けられた操作釦の近傍にスイッチを配置することで、モータから離れた位置に前記スイッチが取付けられる。すると、前記モータと前記スイッチを接続する線材を長くする必要があるためにコストアップに繋がるばかりか、ケースの内部に収納するホルダに前記線材を保持する保持部を設けることで前記ホルダの構造が複雑となる。また、前記ホルダに対する線材の結線処理が必要になることで、振動発生装置の組み立て作業にも影響を与えることが懸念される。
【０００６】
さらに、前記モータに電力を供給する手段として電池を使用する場合、前記電池をホルダに取付ける構成とし、前記電池の交換が行えるようケースの一部を着脱可能とするのが一般的である。そして、ケースの端部に操作釦を設け、前記操作釦の近傍にスイッチを配置するならば、電池を交換するときに前記スイッチおよび前記スイッチと前記モータを接続する線材が露出する。そのため、ユーザーが前記スイッチや前記線材に誤って触れてしまい、振動発生装置の故障や破壊の要因となる危険性が高くなる。
【０００７】
本発明は上述した点に鑑みてなされたものであって、その目的とするところは、モータの回転を制御するスイッチとユーザーが実際に操作を行う操作釦が離れた位置にあっても、簡素な構造によって前記モータの近くに前記スイッチを配置したまま前記操作釦の操作を検知可能とする振動発生装置を提供することにある。
【０００８】
また、本発明の他の目的としては、モータに電力を供給する手段として電池を使用する場合において、前記電池の交換時にモータやスイッチ等の電子部品が露出しない振動発生装置を提供することにある。
【課題を解決するための手段】
【０００９】
請求項１に係る振動発生装置は、ケーストップおよびケースボトムと、前記ケーストップおよび前記ケースボトムの収納空間に収納されるホルダと、前記ホルダに少なくともモータとスイッチを取付け構成する振動発生装置であって、前記ホルダは前記ケーストップによって囲繞されるケーストップ領域と前記ケースボトムによって囲繞されるケースボトム領域を有し、前記ケーストップ領域に少なくともモータとスイッチを取付け、前記ケースボトムには操作釦を設け、前記操作釦と一体に押圧片を形成し、前記操作釦の操作と連動する前記押圧片の移動を前記スイッチによって検知する構造を特徴としている。
【００１０】
請求項２に係る振動発生装置は、請求項１に記載の振動発生装置であって、前記ケースボトムの内面側には、前記操作釦の押圧操作と連動する押圧片の移動方向を規制するガイドリブを形成したことを特徴としている。
【００１１】
請求項３に係る振動発生装置は、請求項１又は請求項２の何れか１項に記載の振動発生装置であって、前記ケースボトムの収納空間の開口よりリブを延出して設け、前記リブには周縁方向に係止孔と、前記リブの内面側であって前記係止孔と連設するガイド溝を形成し、前記ホルダには、前記ケースボトムを回転することで前記ガイド溝を伝って前記係止孔に係止する突起部を形成したことを特徴としている。
【００１２】
請求項４に係る振動発生装置は、請求項１乃至請求項３の何れか１項に記載の振動発生装置であって、前記操作釦は、前記操作釦への押圧力に抗して付勢力を発生し、且つ、ケースボトムの収納空間への浸水を防止するための弾性部材を介して前記ケースボトムに対し保持されることを特徴としている。
【発明の効果】
【００１３】
以上のような本発明の構造によれば、モータやスイッチをケーストップによって囲繞されるホルダのケーストップ領域に取付け、ケースボトムに取り付ける操作釦に形成された押圧片によって前記スイッチを押圧する構造としている。その結果、モータの近傍にスイッチを配置することができるため、前記モータと前記スイッチを接続するために必要となる部材を最小限とし、振動発生装置を簡素な構造で実現でき、その組み立て作業も容易となる。なお、本発明におけるモータとスイッチを接続するための部材として、例えば線材を使用する場合、前記モータの近傍に前記スイッチを配置できることで前記線材を必要以上に長くする必要がなくなる。
【００１４】
また、モータやスイッチをホルダのケーストップ領域に取付け、前記ホルダのケースボトム領域に電池を取付ける構成とすることで、電池を交換する際にケーストップの収納空間に囲繞されたモータやスイッチが外部に露出しないため、ユーザーが電子部品に触れることによる振動発生装置の故障や破壊の要因を軽減することが可能となる。
【図面の簡単な説明】
【００１５】
【図１】本発明の実施例における振動発生装置の分解斜視図。
【図２】本発明の実施例におけるケーストップ、ケースボトム、およびホルダを示す平面側部分断面図。
【図３】本発明の実施例におけるケーストップ単体の部分断面斜視図。
【図４】本発明の実施例におけるケーストップとホルダを示す図であって、ホルダの係止片がケーストップの係止溝に係止する前の状態を示す平面側断面図。
【図５】本発明の実施例におけるケーストップとホルダを示す図であって、ホルダの係止片がケーストップの係止溝に係止した後の状態を示す平面側断面図。
【図６】本発明の実施例におけるケースボトム単体を示す斜視図。
【図７】本発明の実施例におけるケースボトムとホルダを示す図であって、ホルダの係合突起がケースボトムの係合孔に係合する前の状態を示す平面側断面図。
【図８】図７のＡ−Ａ断面図。
【図９】本発明の実施例におけるケースボトムとホルダを示す図であって、ホルダの係合突起がケースボトムの係止孔に係合した後の状態を示す平面側断面図。
【図１０】図９のＢ−Ｂ断面図。
【図１１】本発明の実施例におけるホルダ単体を示す図であって、図１１（ａ）はホルダ単体の平面図、図１１（ｂ）は同側面図。
【図１２】本発明の実施例におけるホルダと操作釦を示す側面図。
【図１３】本発明の実施例におけるケースボトムを示しており、開口を正面側として視た図。
【図１４】本発明の実施例におけるホルダの電池取付部近傍を示す図であり、図１４（ａ）は電池取付部の底面側平面図、図１４（ｂ）は電池取付部の端面側を示す図。
【図１５】本発明の実施例における歯ブラシ体とケーストップを示す斜視図。
【発明を実施するための形態】
【００１６】
以下、本発明を実施するための最良の形態としての実施例を図１〜図１５を用いて以下に説明する。なお、本発明はその主旨に反しない範囲で、実施例において説明した構成以外のものに対しても容易に適用可能である。
【００１７】
図１は本発明の実施例における振動発生装置の分解斜視図である。また、図２は本発明の実施例におけるケーストップ、ケースボトム、およびホルダを示す平面側部分断面図である。図１および図２で示すように、ケーストップ２の内側には第１収納空間２ａが形成されている。また、ケースボトム３の内側には第２収納空間３ａが形成されている。そして、前記第１収納空間２ａと前記第２収納空間３ａの中にホルダ４が納まる構造としている。
【００１８】
図３は本発明の実施例におけるケーストップ単体の部分断面斜視図である。また、図４は本発明の実施例におけるケーストップとホルダを示す図であって、ホルダの係止片がケーストップの係止溝に係止する前の状態を示す平面側断面図である。また、図５は本発明の実施例におけるケーストップとホルダを示す図であって、ホルダの係止片がケーストップの係止溝に係止した後の状態を示す平面側断面図である。本発明の実施構造について、図３〜図５を用いてさらに詳述する。ケーストップ２の第１収納空間２ａの内面には、ガイドレール２ｂ，２ｂと係止溝２ｃ，２ｃが形成されている。また、ホルダ４には、前記ガイドレール２ｂ，２ｂに沿って移動する突起片４ａ，４ａが形成されている。加えて、前記ホルダ４には、前記前記ケーストップ２の係止溝２ｃ，２ｃに係止する可撓部４ｂ，４ｂを有する係止片４ｃ，４ｃが形成されている。そして、ホルダ４をケーストップ２の第１収納空間２ａに挿入するならば、突起片４ａ，４ａはガイドレール２ｂ，２ｂに沿って移動し、前記ホルダ４の収納が完了する位置において係止片４ｃ，４ｃは可撓片４ｂ，４ｂの弾性力によって係止溝２ｃ，２ｃに係止する。なお、ホルダ４に係止したケーストップ２は、可撓片４ｂ，４ｂの弾性力によって係止溝２ｃ，２ｃに係止する係止片４ｃ，４ｃによって容易に外れることはない。
【００１９】
図６は本発明の実施例におけるケースボトム単体を示す斜視図である。また、図７は本発明の実施例におけるケースボトムとホルダを示す図であって、ホルダの係合突起がケースボトムの係合孔に係合する前の状態を示す平面側断面図である。また、図８は図７のＡ−Ａ断面図である。また、図９は本発明の実施例におけるケースボトムとホルダを示す図であって、ホルダの係合突起がケースボトムの係止孔に係合した後の状態を示す平面側断面図である。また、図１０は図９のＢ−Ｂ断面図である。図６〜図１０で示すように、ケースボトム３の第２収納空間３ａの開口には、リブ３ｂが延出形成されている。そして、前記リブ３ｂの周縁方向には係合孔３ｃ，３ｃとガイド溝３ｄ，３ｄが形成されている。なお、本発明の実施例におけるガイド溝３ｄ，３ｄは、前記リブ３ｂを肉薄として形成し、前記係合孔３ｃ，３ｃと連設している。
【００２０】
一方で、ホルダ４には、前記係合孔３ｄ，３ｄに係合する係合突起４ｄ，４ｄが形成されている。そして、前記ホルダ４をケースボトム３の第２収納空間３ａに挿入して、前記ホルダ４の挿入が完了する位置において前記ケースボトム３を図８で示す矢印ａの方向へ回転するならば、前記係合突起４ｄ，４ｄはガイド溝３ｄ，３ｄに沿って移動し、係合孔３ｃ，３ｃに係合する。なお、図１０で示すように、ホルダ４に係合したケースボトム３は、矢印ｂの方向に回転することで前記係合孔３ｃ，３ｃと前記係合突起４ｄ，４ｄの係合状態を容易に解除できる。
【００２１】
図１１は本発明の実施例におけるホルダ単体を示す図であって、図１１（ａ）はホルダ単体の平面図、図１１（ｂ）は同側面図である。同図で示すように、ホルダ４はケーストップ２によって囲繞されるケーストップ領域４ｅと、ケースボトム３によって囲繞されるケースボトム領域４ｆを有する。
【００２２】
そして、ケーストップ領域４ｅには、少なくとも、モータ取付部４ｇと、基板取付部４ｈが形成されている。なお、前記モータ取付部４ｇには、回転軸に偏心部材を取着したモータ５が取付けられる。また、前記基板取付部４ｈには、前記モータ５の回転を制御するスイッチ６ａを配設した基板６が取付けられる。すなわち、本発明の実施構造は、少なくとも、前記ホルダ４のケーストップ領域４ｅに振動を発生させるために必要な電子部品を集約している。そして、前記ケーストップ２の第１収納空間２ａに前記ホルダ４のケーストップ領域４ｅを挿入した後は、前記ホルダ４から前記ケーストップ２が容易に外れない構造としている。
【００２３】
具体的には、前記ケーストップ２に形成される第１収納空間２ａの奥側において、前記ホルダ４に形成された係止片４ｃ，４ｃが、可撓部４ｂ，４ｂの弾性力によって前記ケーストップ２の第１収納空間２ａに形成された係止溝２ｃ，２ｃに係止する構造となっている。なお、前述の「奥側」とは、ケーストップ２の第１収納空間２ａにホルダ４を挿入する側から視たときの位置を示す。その結果、例えば、ユーザーが誤ってケーストップ２からホルダ４を外してケーストップ領域４ｅに取付けられた電子部品に接触するなどの危険行為を防止できる。
【００２４】
また、本発明の実施例では、前記ホルダ４のケースボトム領域４ｆにおいて前記モータ５に電力を供給するための電池を取付ける電池取付部４ｉが形成されている。そして、前記ケースボトム領域４ｆを囲繞するよう取付けるケースボトム３は、前記ホルダ４に対して回転することによって係合／解除が容易に行える構造としている。
【００２５】
具体的に詳述すると、先ず、ケーストップ２が取付けられたホルダ４のケースボトム領域４ｆが前記ケースボトム３の第２収納空間３ａに納まるよう、前記ケースボトム３を前記ケーストップ２側へ移動させる。そして、前記ホルダ４の前記ケースボトム領域４ｆが前記ケースボトム３の第２収納空間３ａに納まる位置において前記ケースボトム３を回転する。ホルダ４に取付けられたケーストップ２に対し前記ケースボトム３を回転するならば、前記ホルダ４に形成された係合突起４ｄ，４ｄは前記ケースボトム３に形成されたガイド溝３ｄ，３ｄに沿って移動し、前記係合突起４ｄ，４ｄが係合孔３ｃ，３ｃに係合して前記ホルダ４に対し前記ケースボトム３を取付けることができる。なお、前記ホルダ４に前記ケースボトム３が取付けられた状態から、前記ケースボトム３を前述とは逆の方向に回転するならば、前記係合孔３ｃ，３ｃから前記係合突起４ｄ，４ｄが外れて、前記ホルダ４から前記ケースボトム３を容易に取外すことができる。その結果、モータ５を回転させるための電池の交換作業が容易となる。
【００２６】
なお、本発明の実施例では、電力の寿命に応じて交換が必要となる電池を使用した振動発生装置について説明している。しかし、本発明は前述の構造に限定するものではなく、例えば、充電することで電力を維持できるバッテリを内蔵した振動発生装置も含まれる。充電可能なバッテリを内蔵した振動発生装置であれば、本発明の実施例で示すようにケースボトム３を取外して電池を交換する必要がない。そのため、ホルダ４に取付ける電子部品も含めその配置構成を変更することができる。以上、本発明の要旨の範囲内で種々の変形実施が可能であることを言及する。
【００２７】
つぎに、操作釦の操作をスイッチによって検知する構造について説明する。図１２は本発明の実施例におけるホルダと操作釦を示す側面図である。同図で示すように、ホルダ４のケーストップ領域４ｅにはスイッチ６ａが配設された基板６が取付けられている。そして、ケースボトム３の開口とは反対側の端部には、ユーザーが実際に操作を行う操作釦８が弾性部材９を介して取付けられている。本発明の実施例では、前記ケースボトム３の端部から露出する操作釦８が押圧操作されたことをスイッチ６ａによって検知し、モータ５を回転させて振動を発生させる構造としている。なお、前記弾性部材９は、主にケースボトム３の第２収納空間３ａに水や異物の浸入を防止する役割と、押圧操作された操作釦８をその弾性力を利用して前記操作釦が押圧される前の状態へ復帰させる役割を担う。また、本発明の実施例で示す振動発生装置は、前記弾性部材９を取着した操作釦８をケースボトム３に取付ける際、前記ケースボトム３の開口側からでも、或いは、前記ケースボトム３の端部側からでも取付けられる構造としている。
【００２８】
なお、前記操作釦８には、前記弾性部材９を取付けるための段差部８ｂが形成されている。さらに、前記操作釦８には、前記弾性部材９の弾性力に抗して前記操作釦８を押圧操作したときにスイッチ６ａを直接押圧する押圧片８ｃが形成されている。そして、前記ケースボトム３の開口近傍であって、第２収納空間３ａの内面には、前記操作釦８の押圧操作によって移動する押圧片８ｃをスイッチ６ａに誘導するためのガイドリブ３ｅ，３ｅが形成されている（図６参照）。
【００２９】
前述の構造により、前記操作釦８の押圧操作によって前記ガイドリブ３ｅ，３ｅに沿って移動する押圧片８ｃは、基板６に配設されたスイッチ６ａを確実に押圧できる。そして、前記押圧片８ｃの移動を前記スイッチ６ａによって検知し、モータ５の回転を制御する構造としている。なお、押圧された操作釦８は、負荷がなくなった時点で弾性部材９の復帰力により前記スイッチ６ａから離間した押圧前の位置へ移動する。
【００３０】
また、電池を交換する際、ケーストップ２に取付けられたホルダ４にユーザーが操作釦８を押圧した状態のケーストップ３を取付けることが考えられる。この場合、押圧片８ｃがスイッチ６ａを破損させることが想定されるため、前記スイッチ６ａの破損を防止する壁部（図示なし）を前記ホルダ４に形成するのが好ましい。前記壁部を形成することで、ケースボトム３を取付ける際に前記押圧片８ａが前記スイッチ６ａから離間した前記操作釦８の押圧前の位置に止めた状態で前記ホルダ４に取付けることが可能となる。なお、前記壁部の形状については特に限定せず、前記ホルダ４に対して前記ケースボトム３の着脱に支障がない形状を適宜選定すれば良い。
【００３１】
以上、本発明の実施例では、ケースボトムの端部に操作釦８を設けた振動発生装置について説明している。しかし、本発明は前述の構造に限定するものではなく、例えば、前記ケースボトム３の周縁部分に前記操作釦８に代わるスイッチ６ａを押圧するための部品を設けても良い。また、本発明の実施例では、押圧片８により押圧することを検知するスイッチ６ａを用いた振動発生装置について説明している。しかし、本発明は前述の構造に限定するものではなく、例えば、非接触型のスイッチや、接触型のスイッチであっても他の切換方式によるスイッチを用いても良い。すなわち、本発明は、モータの回転を制御するスイッチから離れた位置にユーザーが実際に操作を行う操作釦を設けた振動発生装置に関するものである。そのため、本発明の実施例に限定することなく、電子部品も含めその配置構成を変更することができる。以上、本発明の要旨の範囲内で種々の変形実施が可能であることを言及する。
【００３２】
ところで、本発明の実施例で示す構造によれば、ホルダ４のケーストップ領域４ｅに取付けられた基板６のスイッチ６ａと、ケースボトム３の端部に取付けられた操作釦８の押圧片８ｃの位置関係が重要となる。すなわち、電池の交換を行うために取付け／解除が容易なケースボトム３に設けられる押圧片８ｃによって、ホルダ４のケーストップ領域４ｅに取付けられた基板６のスイッチ６ａを確実に押圧できるようにするため、前記ホルダ４のケースボトム領域４ｆに対する前記ケースボトム３の取付ける際の位置関係を一定とする必要がある。
【００３３】
つぎに、ホルダ４に対するケースボトム３の取付ける際の位置関係を一定とするための構造について説明する。図１３は本発明の実施例におけるケースボトムを示しており、開口を正面側として視た図である。同図で示すように、ケースボトム３の開口近傍であって、第２収納空間３ａの内面には、前述のガイドリブ３ｅ，３ｅと平行に位置規制リブ３ｆが形成されている。
【００３４】
図１４は本発明の実施例におけるホルダの電池取付部近傍を示す図であり、図１４（ａ）は電池取付部の底面側平面図、図１４（ｂ）は電池取付部の端面側を示す図である。同図で示すように、ホルダ４のケースボトム領域４ｆには、前記ケースボトム３に形成される位置規制リブ３ｆの当接を可能とする当接突起４ｊが形成されている。また、前記ケースボトム領域４ｆには、ホルダ４にケースボトム３を取付ける際にガイドリブ３ｅ，３ｅおよび押圧片８ｃが当接しないよう退避面４ｋが形成されている。本発明の実施例において、その構造をより具体的に詳述するならば、前記当接突起４ｊおよび前記退避面４ｋは、電池取付部４ｉの底面側に形成されている。
【００３５】
なお、前記当接突起４ｊは電池取付部４ｉの端部から一定の長さまで延出形成されており、前記電池取付部４ｉの全長に亘って形成されているものではない。本発明の実施例では、ホルダ４にケースボトム３を取付けるときに、前記ホルダ４の前記ケースボトム領域４ｆが前記ケースボトム３の第２収納空間３ａに納まる位置において前記ケースボトム３を回転させる。そのため、前記ケースボトム３を回転する際には前記位置規制リブ３ｆが前記当接突起４ｊに当接しない長さに形成されている。なお、ホルダ４に形成される電池取付部４ｉの端部は、前記当接突起４ｊおよび前記退避面４ｋを設けたことによって円形状から一部欠けた形を成している。
【００３６】
前述の構造により、異形状の電池取付部４ｉの端部よりケースボトム３を取付けるときに、前記ケースボトム３に形成された位置規制リブ３ｆとホルダ４に形成された当接突起４ｊ、および、前記ケースボトム３に形成されたガイドリブ３ｅと前記ホルダ４に形成された退避面４ｋによってその位置が規制される。そして、ホルダ４に取付けられたケースボトムは、スイッチ６ａを押圧片８ｃによって押圧可能な位置で確実に取付けることができる。
【００３７】
より具体的に詳述するならば、ホルダ４のケースボトム領域４ｆをケースボトム３の第２収納空間３ａに挿入するときには、前記ケースボトム３に形成された位置規制リブ３ｆとホルダ４に形成された当接突起４ｊによって前記ケースボトム３の一方向の回転が規制される。また、前記ケースボトム３に形成されたガイドリブ３ｅと前記ホルダ４に形成された退避面４ｋによって前記ケースボトムの他方向の回転が規制される。そして、前記ホルダ４の前記ケースボトム領域４ｆが前記ケースボトム３の第２収納空間３ａに納まる位置においては、前記位置規制リブ３ｆと前記当接突起４ｊが互いに当接しない長さで形成されているため、前記ケースボトム３を回転させて取付けることができる。
【００３８】
以上、本発明の実施例では、ホルダ４に対するケースボトム３の取付ける際の位置関係を一定とする手段として、位置規制リブ３ｆと当接突起４ｊ、およびガイドリブ３ｅと退避面４ｋによる回転方向の規制を設けた振動発生装置について説明している。しかし、本発明は前述の構造に限定するものではなく、例えば、位置規制リブ３ｆを複数形成したり、当接突起４ｊの代わりにガイドリブ３ｅが摺動可能な溝を設ける構造としても良い。すなわち、本発明は、モータの回転を制御するスイッチから離れた位置にユーザーが実際に操作を行う操作釦を設けた振動発生装置に関するものである。そのため、前記スイッチと前記操作釦の位置関係を一定にする手段として本発明の実施例に限定することなく、本発明の要旨の範囲内で種々の変形実施が可能であることを言及する。
【００３９】
つぎに、本発明の実施例で示す振動発生装置の利用方法について説明する。図１５は歯ブラシ体とケーストップを示す斜視図である。同図で示すように、ケーストップ２の端部には着脱部２ｄが設けられている。そして、前記着脱部２ｄに対して歯ブラシ体１１を着脱可能とした構造としている。ところで、本発明の実施例では、前記歯ブラシ体１１の柄が透明な樹脂によって形成されている。そして、ケーストップ２の第１収納空間２ａに収納された基板６にはＬＥＤ（発光ダイオード）６ｂが配設されている。すなわち、本発明の実施例では、操作釦８の押圧操作によってモータ５の回転制御とＬＥＤ６ｂの発光制御を行っている。
【００４０】
ここで、ＬＥＤ６ｂ近傍の構造について詳述する。基板６にはスイッチ６ａとともにＬＥＤ６ｂが配設されている。そして、ケーストップ２の着脱部２ｄ側には、前記ＬＥＤ６ｂの光を歯ブラシ体１１へ誘導するレンズ（図示なし）が取付けられている。
【００４１】
なお、本発明の実施例では、操作釦８を押圧操作する回数によってモータ５の回転およびＬＥＤ６ｂの発光を制御している。具体的に説明すれば、１回目の操作釦８の押圧操作をスイッチ６ａによって検知するならば、ＬＥＤ６ｂが発光する。すなわち、振動発生装置１に取着した歯ブラシ体１１は発光した状態となる。続けて、２回目の操作釦８の押圧操作をスイッチ６ａによって検知するならば、ＬＥＤ６ｂが発光したままモータ５が回転する。すなわち、振動発生装置１に取着した歯ブラシ体１１は発光したまま、振動を発生させる状態となる。さらに続けて、３回目の操作釦８の押圧操作をスイッチ６ａによって検知するならば、ＬＥＤ６ｂの発光およびモータ５の回転が停止する。すなわち、振動発生装置１に取着した歯ブラシ体１１の発光および振動が停止した状態となる。
【００４２】
以上、本発明の実施例では、歯ブラシ体１１を取着した振動発生装置１について説明した。しかし、本発明は前述の構造に限定するものではなく、例えば、歯ブラシの他に、耳や爪の掃除器具、或いは顔や肩等のマッサージ器具を取着する構造であっても良い。すなわち、本発明は、主にモータの回転を振動に変換する振動発生装置を利用したものであれば、本発明の主旨の範囲内で適用可能であることを言及する。また、本発明は、前述の振動発生装置に発光機能を付加した構造についても含む。
【符号の説明】
【００４３】
１．  振動発生装置
２．  ケーストップ
２ａ．第１収納空間
２ｂ．ガイドレール
２ｃ．係止溝
２ｄ．着脱部
３．  ケースボトム
３ａ．第２収納空間
３ｂ．リブ
３ｃ．ガイド溝
３ｄ．係合孔
３ｅ．ガイドリブ
３ｆ．位置規制リブ
４．  ホルダ
４ａ．突起片
４ｂ．可撓部
４ｃ．係止片
４ｄ．係合突起
４ｅ．ケーストップ領域
４ｆ．ケースボトム領域
４ｇ．モータ取付部
４ｈ．基板取付部
４ｉ．電池取付部
４ｊ．当接突起
４ｋ．退避面
５．  モータ
６．  基板
６ａ．スイッチ
６ｂ．ＬＥＤ
８．  操作釦
８ｂ．段差部
８ｃ．押圧片
９．  弾性部材
１１．  歯ブラシ体